【手続補正書】
【提出日】平成17年9月29日(2005.9.29)
【手続補正１】
【補正対象書類名】明細書
【補正対象項目名】発明の名称
【補正方法】変更
【補正の内容】
【発明の名称】異常検出装置および燃料噴射制御装置
【手続補正２】
【補正対象書類名】明細書
【補正対象項目名】特許請求の範囲
【補正方法】変更
【補正の内容】
【特許請求の範囲】
【請求項１】  内燃機関の順次的な各気筒毎の燃料噴射信号を受信し、
各燃料噴射信号の受信される順序が、予め定める順序とは異なるとき、その異なる順序に対応する前記気筒の燃料噴射信号の異常を検出することを特徴とする異常検出装置。
【請求項２】  内燃機関の複数の各気筒毎の燃料噴射信号を受信し、気筒毎に燃料噴射信号の受信の有無を表わす履歴信号をストアするメモリと、
いずれかの気筒の燃料噴射信号に応答し、当該気筒とは異なる気筒の履歴信号がメモリにストアされているかどうかを検出し、その検出の結果、ストアされているとき、その履歴信号を消去し、ストアされていないとき、その履歴信号に対応する気筒の燃料噴射信号の異常を検出する手段とを含むことを特徴とする異常検出装置。
【請求項３】  前記異なる気筒は、受信した燃料噴射信号に対応する順次的な気筒の１つ前の気筒であることを特徴とする請求項２記載の異常検出装置。
【請求項４】  内燃機関の複数の気筒毎に対応して設けられる複数の計数手段と、
内燃機関の各気筒毎に燃料噴射信号を受信し、その受信のたびに、受信した燃料噴射信号に対応する気筒の計数手段を初期化し、残余の気筒の計数手段を計数動作させる計数制御手段と、
計数値が予め定める値に到達したとき、その計数手段に対応する気筒の燃料噴射信号の異常を検出する手段とを含むことを特徴とする異常検出装置。
【請求項５】  異常が生じている燃料噴射信号に代る擬似燃料噴射信号を、発生する擬似燃料噴射信号発生手段をさらに含むことを特徴とする請求項１〜４のうちの１つに記載の異常検出装置。
【請求項６】  請求項１〜５のうちの１つに記載の異常検出装置を備える燃料噴射制御装置。
【請求項７】  第１の燃料における燃料噴射信号を、第１の燃料とは異なる種類の第２の燃料に適するように変換し、その変換した変換燃料噴射信号を導出する信号変換手段をさらに含み、
前記第１の燃料における燃料噴射信号に基づき異常の検出を行うものであることを特徴とする請求項１〜５のうちの１つに記載の異常検出装置を備える燃料噴射制御装置。
【手続補正３】
【補正対象書類名】明細書
【補正対象項目名】０００１
【補正方法】変更
【補正の内容】
【０００１】
【発明の属する技術分野】
本発明は、内燃機関の燃料噴射信号の異常を検出する異常検出装置および燃料噴射制御装置に関する。
【手続補正４】
【補正対象書類名】明細書
【補正対象項目名】０００６
【補正方法】変更
【補正の内容】
【０００６】
【発明が解決しようとする課題】
本発明の目的は、複数気筒のうち、どの気筒の燃料噴射信号を伝送する伝送路である信号線が断線しているかを識別して検出することができる異常検出装置および燃料噴射制御装置を提供することである。
【手続補正５】
【補正対象書類名】明細書
【補正対象項目名】０００７
【補正方法】変更
【補正の内容】
【０００７】
【課題を解決するための手段】
本発明は、内燃機関の順次的な各気筒毎の燃料噴射信号を受信し、
各燃料噴射信号の受信される順序が、予め定める順序とは異なるとき、その異なる順序に対応する前記気筒の燃料噴射信号の異常を検出することを特徴とする異常検出装置である。
【手続補正６】
【補正対象書類名】明細書
【補正対象項目名】０００８
【補正方法】変更
【補正の内容】
【０００８】
本発明に従えば、内燃機関は複数の気筒を有し、各気筒毎に燃料噴射弁が備えられ、この燃料噴射弁には、順次的な各気筒毎の燃料噴射信号が、並列に発生されて各信号線を介して与えられる。前記信号線の全てが断線していなければ、各燃料噴射信号の受信される順序は、予め定める順序と同一であり、これに対して信号線の少なくとも１つが断線していれば、受信される燃料噴射信号の順序は、前記予め定める順序とは異なり、本発明では、この異なる順序に対応した気筒の燃料噴射信号が異常であると検出する。
【手続補正７】
【補正対象書類名】明細書
【補正対象項目名】０００９
【補正方法】変更
【補正の内容】
【０００９】
このような燃料噴射信号の受信される順序に基づいて、予め定める順序とは異なる順序に対応した気筒の異常が検出される。このような異常検出のためのさらに具体的な構成は、後述のメモリ、異常を検出する手段によって実現され、または後述のように計数手段、計数制御手段および異常を検出する手段によって実現される。
【手続補正８】
【補正対象書類名】明細書
【補正対象項目名】００１０
【補正方法】変更
【補正の内容】
【００１０】
また本発明は、内燃機関の複数の各気筒毎の燃料噴射信号を受信し、気筒毎に燃料噴射信号の受信の有無を表わす履歴信号をストアするメモリと、
いずれかの気筒の燃料噴射信号に応答し、当該気筒とは異なる気筒の履歴信号がメモリにストアされているかどうかを検出し、その検出の結果、ストアされているとき、その履歴信号を消去し、ストアされていないとき、その履歴信号に対応する気筒の燃料噴射信号の異常を検出する手段とを含むことを特徴とする異常検出装置である。
【手続補正９】
【補正対象書類名】明細書
【補正対象項目名】００１１
【補正方法】変更
【補正の内容】
【００１１】
また本発明は、前記異なる気筒は、受信した燃料噴射信号に対応する順次的な気筒の１つ前の気筒であることを特徴とする。
【手続補正１０】
【補正対象書類名】明細書
【補正対象項目名】００１２
【補正方法】変更
【補正の内容】
【００１２】
本発明に従えば、気筒毎に対応した燃料噴射信号の受信の有無を表わす履歴信号をメモリにストアするとともに、この履歴信号に対応する気筒とは異なる気筒の履歴信号がメモリにストアされているかどうかを検出し、前記異なる気筒の履歴信号がメモリにストアされていれば、その前記異なる気筒の履歴信号のメモリにストアされている内容を消去する。
【手続補正１１】
【補正対象書類名】明細書
【補正対象項目名】００１３
【補正方法】変更
【補正の内容】
【００１３】
前記異なる気筒の履歴信号がメモリにストアされていなければ、前記検出のたびに、すなわち燃料噴射信号を受信して発生される履歴信号に対応する気筒とは異なる気筒の履歴信号がメモリにストアされているかどうかを検出するたびに、たとえば＋１のインクリメントなどの計数動作を、各気筒毎の計数手段によって行う。こうして各気筒毎の計数手段の計数値が、予め定める値に到達したとき、その予め定める値に到達した計数値を計数した計数手段に対応する気筒の燃料噴射信号の異常を検出することができるようになる。
【手続補正１２】
【補正対象書類名】明細書
【補正対象項目名】００１５
【補正方法】変更
【補正の内容】
【００１５】
また本発明は、内燃機関の複数の気筒毎に対応して設けられる複数の計数手段と、
内燃機関の各気筒毎に燃料噴射信号を受信し、その受信のたびに、受信した燃料噴射信号に対応する気筒の計数手段を初期化し、残余の気筒の計数手段を計数動作させる計数制御手段と、
計数値が予め定める値に到達したとき、その計数手段に対応する気筒の燃料噴射信号の異常を検出する手段とを含むことを特徴とする異常検出装置である。
【手続補正１３】
【補正対象書類名】明細書
【補正対象項目名】００１６
【補正方法】変更
【補正の内容】
【００１６】
本発明に従えば、内燃機関の複数の各気筒毎に計数手段がそれぞれ対応して設けられ、受信した燃料噴射信号に対応する気筒の計数手段を、その受信のたびに初期化し、たとえば計数値を零とし、残余の気筒に対応する計数手段を、たとえば＋１だけインクリメントするなどして計数動作させる。並列に発生される燃料噴射信号のうち、受信されない燃料噴射信号に対応する気筒の計数手段の計数値は、残余の燃料噴射信号の受信のたびに計数動作されてゆく。その計数値が予め定める値に到達したとき、その予め定める値に到達した計数手段に対応する気筒のための燃料噴射信号の異常が検出される。こうして複数の各気筒毎の燃料噴射信号のうち、どの燃料噴射信号が異常であるかを検出することができる。
【手続補正１４】
【補正対象書類名】明細書
【補正対象項目名】００１７
【補正方法】変更
【補正の内容】
【００１７】
また本発明は、異常が生じている燃料噴射信号に代る擬似燃料噴射信号を、発生する擬似燃料噴射信号発生手段をさらに含むことを特徴とする。
【手続補正１５】
【補正対象書類名】明細書
【補正対象項目名】００１９
【補正方法】変更
【補正の内容】
【００１９】
また本発明は、上記の異常検出装置を備える燃料噴射制御装置である。
【手続補正１６】
【補正対象書類名】明細書
【補正対象項目名】００２０
【補正方法】変更
【補正の内容】
【００２０】
また本発明は、第１の燃料における燃料噴射信号を、第１の燃料とは異なる種類の第２の燃料に適するように変換し、その変換した変換燃料噴射信号を導出する信号変換手段をさらに含み、
前記第１の燃料における燃料噴射信号に基づき異常の検出を行うものであることを特徴とする上記の異常検出装置を備える燃料噴射制御装置である。
【手続補正１７】
【補正対象書類名】明細書
【補正対象項目名】００２１
【補正方法】変更
【補正の内容】
【００２１】
本発明に従えば、異常検出装置には信号変換手段が備えられ、この信号変換手段は、たとえばガソリンを燃料として用いる内燃機関の燃料噴射弁に適した第１の燃料における燃料噴射信号を、他の種類の燃料、たとえば液化石油ガス（略称ＬＰＧ）または圧縮天然ガス（略称ＣＮＧ）を燃料として用いる内燃機関の燃料噴射弁に適した第２の燃料における変換燃料噴射信号を作成して導出する。このような信号変換手段に、本発明の異常検出機能を備えることによって、燃料噴射信号の変換機能と、併せて、異常検出機能をも達成することができるようになる。
【手続補正１８】
【補正対象書類名】明細書
【補正対象項目名】００２２
【補正方法】変更
【補正の内容】
【００２２】
特に、第１の燃料における各気筒毎の並列な燃料噴射信号を、燃料噴射制御装置の信号変換手段に与えて、第１の燃料とは異なる種類の第２の燃料に適する変換燃料噴射信号を作成して導出して各気筒毎の燃料噴射弁に与え、この燃料噴射制御装置はまた、燃料噴射制御装置の信号変換手段に与えられる第１の燃料における燃料噴射信号の異常を検出する異常検出装置を含む。このような燃料噴射制御装置を、たとえばマイクロコンピュータなどを含むＥＣＵ（Electronic Computer Unit、電子演算ユニット）によって実現することができる。そのため前述の信号変換手段を備える燃料噴射制御装置のほかに、新たに異常検出装置を設けることなく、その燃料噴射制御装置の演算処理機能を利用して異常検出装置を実現することができ、これによって構成の簡略化が図られる。
【手続補正１９】
【補正対象書類名】明細書
【補正対象項目名】００２３
【補正方法】変更
【補正の内容】
【００２３】
また燃料噴射制御装置は、前述のように信号変換手段と異常検出装置とを実現する演算処理機能を含んでいるので、別の新たな信号線を増加する必要はなく、したがって新たな信号線が増加することによる故障の確率が増加するという問題を生じることはない。これに対して、当業者に容易に実現することができる技術では、本発明の実施の一形態におけるようなマイクロコンピュータなどを搭載せずに、抵抗およびコンデンサなどの個別的な電子回路素子であるディスクリート部品を用いて前記信号変換手段を構成し、その出力した変換燃料噴射信号を第１の燃料における燃料噴射信号を発生する手段に、別の新たな信号線を介して戻して、この手段に接続された各気筒毎の燃料噴射弁を駆動する構成を有する。このような或る技術では、前述の別の新たな信号線が増加することになり、その新たに増加した信号線の断線のおそれが生じる。このような或る技術に比べて、本発明では、信号線の数の減少を図ることができ、新たな信号線が増加することによる故障の確率が増加するという問題を生じることはない。
【手続補正２０】
【補正対象書類名】明細書
【補正対象項目名】００３６
【補正方法】変更
【補正の内容】
【００３６】
特に、個別的な信号線２１〜２４を介して、燃料噴射制御手段である主処理回路１６によって発生される第１の燃料における各気筒毎の並列な燃料噴射信号を、燃料噴射制御装置である補助処理回路２６の信号変換手段に与えて、第１の燃料とは異なる種類の第２の燃料に適する変換燃料噴射信号を作成して導出して各気筒毎の燃料噴射弁１１〜１４に与え、この補助処理回路２６はまた、主処理回路１６から補助処理回路２６の信号変換手段に与えられる第１の燃料における燃料噴射信号を伝送する信号線２１〜２４の断線を検出する異常検出装置を含む。このような補助処理回路２６を、たとえばマイクロコンピュータなどを含むＥＣＵによって実現することができる。そのため前述の信号変換手段を備える補助処理回路２６のほかに、新たに異常検出装置を設けることなく、その補助処理回路２６の演算処理機能を利用して異常検出装置を実現することができ、これによって構成の簡略化が図られる。こうして信号線の数の減少をできるだけ図ることができ、新たな信号線が増加することによる故障の確率が増加するという問題を生じることはない。このような補助処理回路２６を設けることによる効果は、図８〜図１３の実施の形態においても同様である。
【手続補正２１】
【補正対象書類名】明細書
【補正対象項目名】００４５
【補正方法】変更
【補正の内容】
【００４５】
【発明の効果】
本発明によれば、内燃機関の複数の各気筒毎の燃料噴射信号の異常を検出することができるようになる。これによって燃料噴射信号の異常の検出が容易であり、故障個所を広範囲に調査する必要はなくなり、修理作業が簡単になる。また燃料噴射信号の信号線が断線したときであっても、内燃機関が搭載された自動車の最寄の修理工場などへの退避走行を行うことができ、フェイルセーフを達成することができ、安全性が高まる。
【手続補正２２】
【補正対象書類名】明細書
【補正対象項目名】００４６
【補正方法】変更
【補正の内容】
【００４６】
特に、本発明によれば、発生される第１の燃料における各気筒毎の並列な燃料噴射信号を、個別的な信号線を介して、燃料噴射制御装置の信号変換手段に与えて、第１の燃料とは異なる種類の第２の燃料に適する変換燃料噴射信号を作成して導出して各気筒毎の燃料噴射弁に与え、この燃料噴射制御装置はまた、燃料噴射制御手段から燃料噴射制御装置の信号変換手段に与えられる第１の燃料における燃料噴射信号の異常を検出する異常検出装置を含む。このような燃料噴射制御装置を、たとえばマイクロコンピュータなどを含むＥＣＵ（Electronic Computer Unit、電子演算ユニット）によって実現することができる。そのため前述の信号変換手段を備える燃料噴射制御装置のほかに、新たに異常検出装置を設けることなく、その燃料噴射制御装置の演算処理機能を利用して異常検出装置を実現することができ、これによって構成の簡略化が図られる。
【手続補正２３】
【補正対象書類名】明細書
【補正対象項目名】００４７
【補正方法】変更
【補正の内容】
【００４７】
また燃料噴射制御装置は、前述のように信号変換手段と異常検出装置とを実現する演算処理機能を含んでいるので、別の新たな信号線を増加する必要はなく、したがって新たな信号線が増加することによる故障の確率が増加するという問題を生じることはない。これに対して、当業者に容易に実現することができる技術では、本発明の実施の一形態におけるようなマイクロコンピュータなどを搭載せずに、抵抗およびコンデンサなどの個別的な電子回路素子であるディスクリート部品を用いて前記信号変換手段を構成し、その出力した変換燃料噴射信号を第１の燃料における燃料噴射信号を発生する手段に、別の新たな信号線を介して戻して、この手段に接続された各気筒毎の燃料噴射弁を駆動する構成を有する。このような或る技術では、前述の別の新たな信号線が増加することになり、その新たに増加した信号線の断線のおそれが生じる。このような或る技術に比べて、本発明では、信号線の数の減少を図ることができ、新たな信号線が増加することによる故障の確率が増加するという問題を生じることはない。